(57)【要約】【課題】登録作業等を必要とすることなく簡単に一度送信した宛先に送信することができるとともに、他の端末装置にも簡単に宛先履歴情報を登録することができるファックスドライバーを提供する。【解決手段】デジタル複合機へのファックスまたはメール送信の指示が行われたとき、制御部３１は、送信宛先をファイルとして宛先履歴記憶部３４に記憶し、宛先履歴から宛先が選択されてグループ化が指示されたとき、選択された宛先をグループ宛先ファイルとしてグループ宛先記憶部３５に記憶する。また、グループ宛先のエクスポートまたはインポートが指示されたとき、インポート／エクスポート部３６が、選択されたグループ宛先の指定フォルダへの出力、選択されたフォルダのグループ宛先の取り込みを実行する。【選択図】図３
2009159204.tif 000002
【特許請求の範囲】
【請求項１】
ファックス及び／またはメール送信機能を有する機器と通信ネットワークを介して接続される端末装置に設けられ、上記機器にファックスまたはメール送信を指示するファックスドライバーであって、
画像情報を生成する画像情報生成部と、宛先履歴記憶部と、グループ宛先記憶部と、上記画像情報生成部により生成された画像情報と送信宛先を通信ネットワークを介して上記機器に転送する転送部と、上記各部を制御する制御部とを備え、
上記機器へのファックスまたはメール送信の指示が行われたとき、上記制御部が、送信指示した送信宛先をファイルとして上記宛先履歴記憶部に記憶し、
上記宛先履歴記憶部に記憶された宛先から複数の宛先が選択されてグループ化が指示されたとき、上記制御部が、選択された宛先をグループ宛先のファイルとして上記グループ宛先記憶部に記憶し、
上記宛先履歴記憶部に記憶された宛先または上記グループ宛先記憶部に記憶されたグループ宛先が選択されてファックスまたはメール送信の指示が行われたとき、上記制御部が、上記画像情報生成部により生成された画像情報と選択された宛先またはグループ宛先とを上記転送部により上記機器に転送することを特徴とするファックスドライバー。
【請求項２】
請求項１に記載されたファックスドライバーにおいて、
上記宛先履歴記憶部及び上記グループ宛先記憶部が宛先及びグループ宛先をvCardまたはＣＳＶのファイルとして記憶することを特徴とするファックスドライバー。
【請求項３】
請求項１に記載されたファックスドライバーにおいて、
送信宛先のファイルを上記宛先履歴記憶部に記憶したとき、上記宛先履歴記憶部に記憶されるファイル数が所定のファイル数を超えた場合、上記制御部が、作成日時が最も古いファイルまたは使用回数が最も少ないファイルを上記宛先履歴記憶部から削除することを特徴とするファックスドライバー。
【請求項４】
請求項１〜請求項３のいずれかに記載されたファックスドライバーにおいて、
宛先及び／またはグループ宛先をエクスポート／インポートするデータ入出力部を備え、
宛先またはグループ宛先のエクスポートが指示されたとき、上記データ入出力部が、選択された宛先またはグループ宛先のファイルを指定されたフォルダに出力し、宛先またはグループ宛先のインポートが指示されたとき、上記データ入出力部が、選択されたフォルダの宛先またはグループ宛先のファイルを上記宛先履歴記憶部または上記グループ宛先記憶部に記憶することを特徴とするファックスドライバー。
【発明の詳細な説明】
【技術分野】
【０００１】
本発明はデジタル複合機（ＭＦＰ）などのファックス及びメール送信機能を有する機器と通信ネットワークを介して接続される端末装置に設けられるファックスドライバーに関する。
【背景技術】
【０００２】
近時、オフィスなどにおいて、ファクシミリスステムが普及してきており、データ通信上有益な役割を果たしている。このようなシステムは、例えば、ＬＡＮなどの通信ネットワークにより、デジタル複合機及び端末装置いわゆるクライアントパソコンなどを接続して構成されている。そして、デジタル複合機は、ファクシミリ受信したデータをクライアントパソコンに転送したり、あるいは、クライアントパソコンから宛先を指定したデータを受信すると、受信したデータを指定された宛先に送信する（例えば、特許文献１参照）。
【特許文献１】特開２０００−１０１７７６号公報
【０００３】
このようなシステムにおいて、パソコンのアプリケーションソフトで画像データのファックス送信を指示した場合、通常、パソコンにインストールされているファックスドライバーソフトが送信画像データをデジタル複合機に出力する。その後、ファックスドライバーソフトはインターネットブラウザをフックしてＨＴＴＰプロトコルを用いて送信ダイアログを起動し、ユーザに送信宛先の入力、あるいは、選択を行わせる。
【０００４】
すなわち、ユーザは送信ダイアログ画面で宛先であるファックス番号またはメールアドレスを直接入力するか、あるいは、送信ダイアログ画面でデジタル複合機内に予め登録されている宛先から任意の宛先を選択するようになっている。
【発明の開示】
【発明が解決しようとする課題】
【０００５】
しかしながら、ファックス番号またはメールアドレスを直接入力してファックス送信またはメール送信を行った後で、別の文書を同じ宛先に送信しようとした場合、再度、宛先を一々入力する必要があり、手間がかかるという問題があった。
【０００６】
一方、デジタル複合機内に記憶された宛先表に送信宛先を登録しておけば、何度でも登録されている宛先にファックス送信またはメール送信を行うことができる。しかしながら、デジタル複合機への送信宛先の登録に手間がかかるとともに、何度も送信するような相手先でない場合には、登録作業が無駄になることもあった。
【０００７】
本発明は、上記の問題に鑑みてなされたもので、登録作業等を必要とすることなく簡単に一度送信した宛先に送信することができるとともに、他の端末装置にも簡単に宛先履歴情報を登録することができるファックスドライバーを提供することを目的とする。
【課題を解決するための手段】
【０００８】
上述の目的を達成するため、本発明のファックスドライバーは、ファックス及び／またはメール送信機能を有する機器と通信ネットワークを介して接続される端末装置に設けられ、上記機器にファックスまたはメール送信を指示するファックスドライバーであって、画像情報を生成する画像情報生成部と、宛先履歴記憶部と、グループ宛先記憶部と、上記画像情報生成部により生成された画像情報と送信宛先を通信ネットワークを介して上記機器に転送する転送部と、上記各部を制御する制御部とを備え、上記機器へのファックスまたはメール送信の指示が行われたとき、上記制御部が、送信指示した送信宛先をファイルとして上記宛先履歴記憶部に記憶し、上記宛先履歴記憶部に記憶された宛先から複数の宛先が選択されてグループ化が指示されたとき、上記制御部が、選択された宛先をグループ宛先のファイルとして上記グループ宛先記憶部に記憶し、上記宛先履歴記憶部に記憶された宛先または上記グループ宛先記憶部に記憶されたグループ宛先が選択されてファックスまたはメール送信の指示が行われたとき、上記制御部が、上記画像情報生成部により生成された画像情報と選択された宛先またはグループ宛先とを上記転送部により上記機器に転送することを特徴とする。
【０００９】
また、本発明の他のファックスドライバーは、上記のファックスドライバーにおいて、上記宛先履歴記憶部及び上記グループ宛先記憶部が宛先及びグループ宛先をvCardまたはＣＳＶのファイルとして記憶することを特徴とする。
さらに、本発明の他のファックスドライバーは、上記のファックスドライバーにおいて、送信宛先のファイルを上記宛先履歴記憶部に記憶したとき、上記宛先履歴記憶部に記憶されるファイル数が所定のファイル数を超えた場合、上記制御部が、作成日時が最も古いファイルまたは使用回数が最も少ないファイルを上記宛先履歴記憶部から削除することを特徴とする。
【００１０】
また、本発明の他のファックスドライバーは、上記のファックスドライバーにおいて、宛先及び／またはグループ宛先をエクスポート／インポートするデータ入出力部を備え、宛先またはグループ宛先のエクスポートが指示されたとき、上記データ入出力部が、選択された宛先またはグループ宛先のファイルを指定されたフォルダに出力し、宛先またはグループ宛先のインポートが指示されたとき、上記データ入出力部が、選択されたフォルダの宛先またはグループ宛先のファイルを上記宛先履歴記憶部または上記グループ宛先記憶部に記憶することを特徴とする。
【発明の効果】
【００１１】
本発明のファックスドライバーによれば、ファックスまたはメール送信の指示を行ったとき、送信指示した送信宛先がvCardまたはＣＳＶ等のファイルとして記憶されるので、登録作業等を必要とすることなく簡単に同じ宛先に送信することができる。
また、本発明のファックスドライバーによれば、宛先履歴から選択した複数の宛先をグループ宛先のファイルとして記憶できるので、このグループ宛先を利用すれば、複数の宛先への同時送信を簡単に行うことができる。
【００１２】
さらに、本発明のファックスドライバーによれば、宛先履歴記憶部に記憶されるファイル数が所定のファイル数を超えた場合、ファイルが削除されるので、記憶されるファイルが多くなりすぎることを防止することができる。
【００１３】
また、本発明のファックスドライバーによれば、送信宛先、グループ宛先がファイルとして記憶されているので、このファイルをエクスポート及びインポートすることにより、送信宛先及びグループ宛先を他のパソコンで容易に利用することができる。
【実施例】
【００１４】
以下、本発明のファックスドライバーの実施例について、図面を用いて説明する。図１は本発明のファックスドライバーを実現するソフトウェアがインストールされたパソコンとデジタル複合機を備えたシステムのネットワーク構成例を示す図である。
【００１５】
図１に示すネットワーク構成図において、１はデジタル複合機、２、３、４・・・はパソコン、５は公衆交換電話網（ＰＳＴＮ）、６はＬＡＮ、７はインターネット網である。
デジタル複合機１はコピーモード、プリンタモード、ファックスモードの各機能を備え、ＰＳＴＮ５及びＬＡＮ６に接続されており、このＬＡＮ６に端末装置として複数のパソコン２、３、４・・・が接続されている。また、このＬＡＮ６はインターネット網７にも接続されており、デジタル複合機１はこのインターネット網７を介してメールの送受信も行うことが可能である。
【００１６】
図２はパソコン２、３、４等のハードウェア構成を示すブロック図であり、ＣＰＵ２１は、バス２８を介してパソコン２のハードウェア各部を制御するとともに、ＲＯＭ２２に記憶されたソフトウェアプログラムに基づいて各種のプログラムを実行する。また、ＲＡＭ２３はＳＲＡＭ等で構成され、プログラムの実行時に発生する一時的なデータを記憶する。
【００１７】
表示部２４は、液晶表示装置（ＬＣＤ）等の表示装置であり、入力部２５はパソコン２を操作するためのキーボードである。ハードディスクドライブ（ＨＤＤ）２６は記憶媒体を内蔵する記憶装置で、各種の機能のプログラムを格納するとともに、様々なデータを記憶する。このＨＤＤ２６には、アプリケーションソフトで画像データのファックスまたはメール送信を指示した場合に起動される、ファックスドライバーソフトが格納されている。また、このファックスドライバーソフトで送信指示を行った場合に、その宛先を履歴情報として保存する宛先履歴情報記憶領域もＨＤＤ２６に設けられている。
【００１８】
一方、図３は上記のファックスドライバーソフトにより実行されるファックスドライバーの機能を示す機能ブロック図である。
制御部３１はファックスドライバーを構成する各部を制御する。画像情報生成部３２は、アプリケーションソフトで画像データのファックスまたはメール送信が指示された場合、画像情報を生成する。すなわち、この画像情報生成部３２は、画像データのイメージ圧縮画像（ファックス符号化方式）またはページ記述言語で記述されたＰＤＬ（Page Description Language）データを生成する。
【００１９】
画像／宛先情報転送部３３は、画像情報生成部３２で生成された画像情報と送信宛先をデジタル複合機１に転送してファックスまたはメール送信を指示する。また、宛先履歴記憶部３４はデジタル複合機１にファックスまたはメール送信を指示したとき、転送した送信宛先を宛先履歴として記憶する。
なお、この宛先履歴としては、単宛先、または、複数の宛先がvCard（電子化された名刺データ規格）またはＣＳＶ（カンマ区切りテキスト形式）のファイル形式で記憶される。この宛先履歴記憶部３４に記憶されるファイルの件数はファックスドライバーで設定可能であり、初期値は、例えば、２０ファイルに設定されている。
【００２０】
また、グループ宛先記憶部３５は、宛先履歴記憶部３４に記憶された宛先から複数の宛先が選択されてグループ化が指示されたとき、選択された宛先をグループ宛先として記憶する。インポート／エクスポート部３６は、宛先履歴記憶部３４に記憶された宛先またはグループ宛先記憶部３５に記憶されたグループ宛先のエクスポートが指示されたとき、選択された宛先またはグループ宛先のファイルを指定されたフォルダに出力する。また、このインポート／エクスポート部３６は、宛先またはグループ宛先のインポートが指示されたとき、選択されたフォルダの宛先またはグループ宛先のファイルを宛先履歴記憶部３４またはグループ宛先記憶部３５に取り込む。
【００２１】
次に、例えば、パソコン２からファックス送信指示を行う場合のファックスドライバーの作用について説明する。
パソコン２のアプリケーションソフトで画像データのファックス送信を指示した場合、ファックスドライバーの制御部３１は、図４−１、図４−２のフローチャートに示す転送プログラムを開始する。
転送プログラムを開始した場合、制御部３１は、まず、画像情報生成部３２に画像データのイメージ圧縮画像データを画像情報として生成させた（ステップ１０１）後、表示部２４に送信ダイアログ画面を表示する（ステップ１０２）。
【００２２】
図５は上記の送信ダイログ画面の一例であり、図に示すように、ファックス送信宛先の入力欄と電子メール送信宛先の入力欄、「送信」ボタン、「再宛先」ボタン、「グループ」ボタン及び「閉じる」ボタンが表示されている。この送信ダイログ画面で送信宛先を入力した後、「送信」ボタンをクリックすることにより入力した送信宛先に画像情報を送信することができる。また、この送信ダイログ画面で「再宛先」ボタンをクリックすることにより、宛先履歴記憶部３４に記憶された宛先ファイルを目視可能な形式に変換して表示することができる。さらに、この送信ダイログ画面で「グループ」ボタンをクリックすることによりグループ宛先記憶部３５に記憶されたグループ宛先ファイルを目視可能な形式に変換して表示することができる。
【００２３】
送信ダイアログ画面を表示した後、制御部３１は、図５の送信ダイログ画面で「送信」ボタンがクリックされたか否かを判定する（ステップ１０３）。「送信」ボタンがクリックされたと判定した場合、制御部３１は、ファックス送信宛先の入力欄または電子メール送信宛先の入力欄に入力された送信宛先を宛先履歴記憶部３４に記憶する（ステップ１０４）。このとき、制御部３１は、入力された１件または複数件の送信宛先をＣＳＶのファイル形式にし、ファイル名を「作成・更新日時−使用回数」として、例えば、20071224093120-1.csvのファイル名で記憶する。
【００２４】
次に、制御部３１は、宛先履歴記憶部３４に記憶されたファイル数が設定数、例えば、２０ファイルを超えたか否かを判定する（ステップ１０５）。記憶されたファイル数が２０ファイルを超えたと判定した場合、制御部３１は、各ファイルのファイル名を参照することにより、作成・更新日時の一番古い宛先ファイルを削除する（ステップ１０６）。
【００２５】
宛先ファイルを削除した後、または、ステップ１０５でファイル数が２０ファイルを超えていないと判定した場合、制御部３１は、入力された送信宛先と画像情報とをデジタル複合機１へ転送する（ステップ１０７）。すなわち、制御部３１は、入力された送信宛先と画像情報生成部３２が生成した画像情報とを画像／宛先情報転送部３３によりデジタル複合機１へ転送させる。
これにより、ファックス送信の場合、転送した画像情報がデジタル複合機１によりＰＳＴＮ５を通して送信相手先に送信される。
【００２６】
一方、ステップ１０３で「送信」ボタンがクリックされていないと判定した場合、制御部３１は、「再宛先」ボタンがクリックされたか否かを判定する（ステップ１０８）。「再宛先」ボタンがクリックされたと判定した場合、制御部３１は、宛先履歴記憶部３４に記憶された宛先ファイルを目視可能な形式に変換し、再送信宛先一覧表示画面として表示部２４に表示する（ステップ１０９）。
【００２７】
図６は再送信宛先一覧表示画面の一例であり、図に示すように、宛先履歴記憶部３４に記憶されている各宛先ファイルの番号と送信宛先名、ファックス番号またはアドレスが表示される。また、下部に「送信」ボタン、「グループ」ボタン、「閉じる」ボタンが表示されている。この再送信宛先一覧表示画面でいずれかの再送信宛先の番号を選択した後、「送信」ボタンをクリックすることにより選択した再送信宛先に画像情報を送信することができる。また、この再送信宛先一覧表示画面で複数の再送信宛先の番号を選択した後、「グループ」ボタンをクリックすることにより選択した再送信宛先をグループとしたグループ宛先ファイルを作成することができる。
【００２８】
再送信宛先一覧表示画面を表示した後、制御部３１は、「送信」ボタンがクリックされたか否かを判定する（ステップ１１０）。「送信」ボタンがクリックされたと判定した場合、制御部３１は、選択されている再送信宛先のファイル名を変更する（ステップ１１１）。すなわち、制御部３１は、選択されている再送信宛先のファイル名を「更新日時−使用回数」として、例えば、20071226125002-3.csvのファイル名で更新し、宛先履歴記憶部３４に記憶する。この後、制御部３１は、選択された再送信宛先と画像情報生成部３２が生成した画像情報とを画像／宛先情報転送部３３によりデジタル複合機１へ転送させる（ステップ１０７）。
【００２９】
また、ステップ１１０で「送信」ボタンがクリックされていないと判定した場合、制御部３１は、再送信宛先一覧表示画面で「グループ」ボタンがクリックされたか否かを判定する（ステップ１１２）。「グループ」ボタンがクリックされたと判定した場合、制御部３１は、表示部２４にグループ名の入力画面を表示した（ステップ１１３）後、グループ名が入力されたか否かを判定する（ステップ１１４）。そして、グループ名の入力画面でグループ名が入力されたと判定すると、制御部３１は、再送信宛先一覧表示画面で選択されている宛先情報を入力されたグループ名でグループ宛先記憶部３５に記憶した（ステップ１１５）後、ステップ１１０に戻る。
これにより、再送信宛先一覧表示画面で選択した宛先情報を、所望のグループ名で、例えば、Ｄ商事関東エリア.csvの名のファイルとしてグループ宛先記憶部３５に記憶することができる。
【００３０】
ステップ１１２で「グループ」ボタンがクリックされていないと判定した場合、制御部３１は、「閉じる」ボタンがクリックされたか否かを判定する（ステップ１１６）。「閉じる」ボタンがクリックされていないと判定した場合、制御部３１は、ステップ１１０に戻り、「閉じる」ボタンがクリックされたと判定した場合、ステップ１０２に戻って、再び、送信ダイアログ画面を表示する。
【００３１】
一方、ステップ１０８で「再宛先」ボタンがクリックされていないと判定した場合、制御部３１は、「グループ」ボタンがクリックされたか否かを判定する（ステップ１１７）。「グループ」ボタンがクリックされたと判定した場合、制御部３１は、表示部２４にグループ宛先一覧表示画面を表示する（ステップ１１８）。
【００３２】
図７はグループ宛先一覧表示画面の一例であり、図に示すように、グループ宛先記憶部３５に記憶されている各グループ宛先ファイルの番号とグループ名、ファックス番号またはアドレスが表示される。また、下部に「送信」ボタン、「閉じる」ボタンが表示され、上部に「エクスポート」ボタン、「インポート」ボタンが表示されている。
【００３３】
このグループ宛先一覧表示画面でいずれかのグループ宛先の番号を選択した後、「送信」ボタンをクリックすることにより選択したグループ宛先に含まれる宛先に画像情報を送信することができる。また、このグループ宛先一覧表示画面で「エクスポート」ボタンをクリックすることにより、選択されているグループ宛先のファイルを所定のフォルダ、例えば、フロッピーディスクに出力することができる。さらに、このグループ宛先一覧表示画面で「インポート」ボタンをクリックすることにより、所定のフォルダに記憶されているグループ宛先のファイルを取り込み、グループ宛先記憶部３５に記憶することができる。
【００３４】
グループ宛先一覧表示画面を表示した後、制御部３１は、「送信」ボタンがクリックされたか否かを判定する（ステップ１１９）。「送信」ボタンがクリックされたと判定した場合、制御部３１は、選択されたグループ宛先に含まれている宛先と画像情報生成部３２が生成した画像情報とを画像／宛先情報転送部３３によりデジタル複合機１へ転送させる（ステップ１０７）。
【００３５】
また、「送信」ボタンがクリックされていないと判定した場合、制御部３１は、「エクスポート」ボタンがクリックされたか否かを判定する（ステップ１２０）。「エクスポート」ボタンがクリックされたと判定した場合、制御部３１は、表示部２４にファイルを出力するフォルダの選択画面を表示した（ステップ１２１）後、フォルダが選択されたか否かを判定する（ステップ１２２）。そして、フォルダが選択されたと判定すると、制御部３１は、選択されているグループ宛先のファイルを選択されたフォルダ、例えば、フロッピー（登録商標）ディスクに出力する（ステップ１２３）。
【００３６】
グループ宛先を出力した後、または、ステップ１２０で「エクスポート」ボタンがクリックされていないと判定した場合、制御部３１は、「インポート」ボタンがクリックされたか否かを判定する（ステップ１２４）。「インポート」ボタンがクリックされたと判定した場合、制御部３１は、表示部２４にファイルを取り出すフォルダの選択画面を表示させた（ステップ１２５）後、フォルダが選択されたか否かを判定する（ステップ１２６）。そして、フォルダが選択されたと判定すると、制御部３１は、選択されたフォルダに記憶されているグループ宛先のファイルを取り込み、グループ宛先記憶部３５に記憶する（ステップ１２７）。
【００３７】
グループ宛先を取り込んだ後、または、ステップ１２４で「インポート」ボタンがクリックされていないと判定した場合、制御部３１は、「閉じる」ボタンがクリックされたか否かを判定する（ステップ１２８）。「閉じる」ボタンがクリックされていないと判定した場合、制御部３１は、ステップ１１９に戻り、「閉じる」ボタンがクリックされたと判定した場合、ステップ１０２に戻って、再び、送信ダイアログ画面を表示する。
【００３８】
そして、ステップ１１７で「グループ」ボタンがクリックされていないと判定した場合、制御部３１は、図５の送信ダイアログ画面で「閉じる」ボタンがクリックされたか否かを判定する（ステップ１２９）。「閉じる」ボタンがクリックされていないと判定した場合、制御部３１は、ステップ１０３に戻って「送信」ボタンがクリックされたか否かを判定し、「閉じる」ボタンがクリックされたと判定した場合、プログラムを終了する。
【００３９】
以上のように、デジタル複合機へファックスまたはメール送信の指示を行ったとき、送信指示した送信宛先がファイルとして記憶されるので、登録作業等を必要とすることなく簡単に同じ宛先に送信することができる。
また、宛先履歴から選択した宛先をグループ宛先のファイルとして記憶できるので、このグループ宛先を利用すれば、複数の宛先への同時送信を簡単に行うことができる。
【００４０】
さらに、宛先履歴記憶部に記憶されるファイル数が所定のファイル数を超えた場合、ファイルが削除されるので、記憶されるファイルが多くなりすぎることを防止することができる。
また、送信宛先、グループ宛先がファイルとして記憶されているので、このファイルをエクスポート及びインポートすることにより、送信宛先及びグループ宛先を他のパソコンで容易に利用することができる。
【００４１】
なお、上記の実施例では、ファイル数が所定の数を超えた場合、作成日時または更新日時の一番古いファイルを削除したが、最も使用回数の少ないファイルを削除するようにしてもよい。
また、上記の実施例では、宛先履歴記憶部に記憶されるファイル数が所定の数を超えた場合にファイルを削除したが、グループ宛先のファイル数が所定の数を超えた場合にもファイルを削除するようにしてもよい。
【００４２】
さらに、上記の実施例では、グループ宛先をインポート、エクスポートできるようにしたが、図６の再送信宛先一覧表示画面で宛先ファイルをインポート及びエクスポートできるようにすることも可能である。
【図面の簡単な説明】
【００４３】
【図１】本発明のファックスドライバーを備えたパソコンとデジタル複合機により構成されるシステムのネットワーク構成例図である。
【図２】パソコンのハードウェア構成を示すブロック図である。
【図３】ファックスドライバーの機能を示す機能ブロック図である。
【図４−１】ファックス送信時のファックスドライバーの作用を示すフローチャートである。
【図４−２】ファックス送信時のファックスドライバーの作用を示すフローチャートである。
【図５】送信ダイログ画面の一例である。
【図６】再送信宛先一覧表示画面の一例である。
【図７】グループ宛先一覧表示画面の一例である。
【符号の説明】
【００４４】
１  デジタル複合機
２、３、４  パソコン
５  ＰＳＴＮ
６  ＬＡＮ
７  インターネット網
３１  制御部
３２  画像情報生成部
３３  画像／宛先情報転送部
３４  宛先履歴記憶部
３５  グループ宛先記憶部
３６  インポート／エクスポート部
【図１】
2009159204.tif 000003
【図２】
2009159204.tif 000004
【図３】
2009159204.tif 000005
【図４−１】
2009159204.tif 000006
【図４−２】
2009159204.tif 000007
【図５】
2009159204.tif 000008
【図６】
2009159204.tif 000009
【図７】
2009159204.tif 000010